(57)【要約】セルラー電話やその他のデータ入力及びワイヤレス電気通信装置と、データを受信し、注文を処理し、口座及び在庫を監視し、必要に応じてその他のデータを保持するデータ受信局とを介して注文を注文するための遠隔注文装置。受信局は、他の受信局と交信して注文またはデータを転送することができる。受信局は、任意の望む場所で、注文を処理するように人間またはマシンに命令することができる。命令は、印刷されるかあるいはスクリーンに表示される。ＧＰＳ、ＷＡＰあるいはその他の測位システムを使用して、ユーザの場所を同定する。生体電子的、呼び出し人のＩＤ、ＰＩＮ番号、あるいはその他の識別手段を利用して、口座またはクレジット・カードからの引き落としを行うためにユーザの認証を行う。ユーザは、遠隔地からチケット、食事、サービスを注文したり、あるいは遠隔地からマシンを制御したり、更に、望みの場所で受け取るように、あるいは配達してもらうように手配できる。
2005535983.tif 000002
【特許請求の範囲】
【請求項１】
遠隔注文装置であって、
データ入力部、電源、第１のメモリ、第１のプロセッサ、送信機を有するワイヤレス電気通信装置と、及び
ワイヤレス電気通信装置からデータを受信するデータ受信局、データ受信局で受信したデータを処理するように適合した第２のプロセッサ、データを記憶するように適合した第２のメモリ、商品またはサービスの配達を命令するためのデータ出力装置と、
を含む前記遠隔注文装置。
【請求項２】
請求項１に記載の遠隔注文装置であって、
ワイヤレス電気通信装置がセルラー電話及びセルラー電話網を含んでいる前記遠隔注文装置。
【請求項３】
請求項１に記載の遠隔注文装置であって、
ワイヤレス電気通信装置がＰＤＡ及び送信機を含んでいる前記遠隔注文装置。
【請求項４】
請求項１に記載の遠隔注文装置であって、
ワイヤレス電気通信装置がＰＤＡ、セルラー電話及びセルラー電話網を含んでいる前記遠隔注文装置。
【請求項５】
請求項１に記載の遠隔注文装置であって、
ワイヤレス電気通信装置がパーソナル・コンピュータ及び送信機を含んでいる前記遠隔注文装置。
【請求項６】
請求項１に記載の遠隔注文装置であって、
ワイヤレス電気通信装置がパーソナル・コンピュータ、セルラー電話及びセルラー電話網を含んでいる前記遠隔注文装置。
【請求項７】
請求項１に記載の遠隔注文装置であって、
データ受信局が第１のサイトにある中央コンピュータであり、
データ出力装置が第１のサイトにある前記遠隔注文装置。
【請求項８】
請求項１に記載の遠隔注文装置であって、
データ受信局が第１のサイトにある中央コンピュータであり、
データ出力装置が第２のサイトにある前記遠隔注文装置。
【請求項９】
請求項１に記載の遠隔注文装置であって、
データ受信局が第１のサイトにある中央コンピュータであり、
第２のデータ受信局が第２のサイトにある第２のコンピュータであり、それによって第１のデータ受信局及び第２のデータ受信局が取引に関するデータを少なくとも一方向に転送する前記遠隔注文装置。
【請求項１０】
請求項９に記載の遠隔注文装置であって、
データ出力装置が第２のサイトにある前記遠隔注文装置。
【請求項１１】
請求項１に記載の遠隔注文装置であって、
データ出力装置が、処理すべき注文に関する情報などの注文データを表示するための電子式表示スクリーンである前記遠隔注文装置。
【請求項１２】
請求項１に記載の遠隔注文装置であって、
データ出力装置が、処理すべき注文に関する注文情報及びラベル、領収書、クレジット・カード伝票、及び口座情報などのその他のデータ及び情報を印刷するためのプリンタである前記遠隔注文装置。
【請求項１３】
請求項１に記載の遠隔注文装置であって、
データ受信局が個人識別部を含んでいる前記遠隔注文装置。
【請求項１４】
請求項１３に記載の遠隔注文装置であって、
個人識別部が、商品またはサービスを注文した人物の口座を自動的に識別するためのワイヤレス電気通信装置を自動的に識別するための呼び出し人識別装置を含んでいる前記遠隔注文装置。
【請求項１５】
請求項１３に記載の遠隔注文装置であって、
個人識別部が、音声識別、指紋識別、網膜識別、顔識別あるいはその他の購買者を識別する手段のような生体電子式識別装置を含んでいる前記遠隔注文装置。
【請求項１６】
請求項１３に記載の遠隔注文装置であって、
個人識別部が、商品またはサービスを注文した人物に埋め込まれるかあるいは所有するチップの存在を検出するためのチップ・センサーを含んでいる前記遠隔注文装置。
【請求項１７】
請求項１に記載の遠隔注文装置であって、
ワイヤレス電気通信装置が個人識別装置を含んでいる前記遠隔注文装置。
【請求項１８】
請求項１３に記載の遠隔注文装置であって、
ワイヤレス電気通信装置が、音声識別、指紋識別、網膜識別、顔識別あるいはその他の購買者を識別する手段のような生体電子式識別装置を含んでいる前記遠隔注文装置。
【請求項１９】
請求項１に記載の遠隔注文装置であって、
ワイヤレス電気通信装置がクレジット・カード・データ入力装置を含んでいる前記遠隔注文装置。
【請求項２０】
請求項１に記載の遠隔注文装置であって、
データ受信局がクレジット・カード・データ入力装置を含んでいる前記遠隔注文装置。
【請求項２１】
請求項１に記載の遠隔注文装置であって、
位置決め装置がワイヤレス電気通信装置の場所を同定する前記遠隔注文装置。
【請求項２２】
請求項２１に記載の遠隔注文装置であって、
位置決め装置が衛星測位装置を含んでいる前記遠隔注文装置。
【請求項２３】
請求項２１に記載の遠隔注文装置であって、
位置決め装置がワイヤレス・アプリケーション・プロトコルを含んでいる前記遠隔注文装置。
【請求項２４】
請求項２１に記載の遠隔注文装置であって、
データ受信局が現金自動預け払いマシンを含んでいる前記遠隔注文装置。
【請求項２５】
遠隔地から商品を注文する方法であって、
（ａ）ワイヤレス電気通信装置とデータ受信局との間でワイヤレス電気通信リンクを確立する工程と、
（ｂ）注文コードを参照する工程と、
（ｃ）所望する購入のための注文コードを入力する工程と、
（ｄ）ワイヤレス電気通信リンクを介してデータ受信局に対して注文コードを送信する工程と、
（ｅ）データ受信局で注文コードを復号する工程と、
（ｆ）行われた購入を記録する工程と、
（ｆ）すべての購入について工程（ｂ）から（ｆ）までを繰り返すオプションと、及び
（ｇ）データ受信局からデータ出力装置へ、復号されたデータを送信する工程と、
を含む遠隔地から商品を注文する前記方法。
【請求項２６】
請求項２５に記載の遠隔地から商品を注文する方法であって、更に、
ワイヤレス電気通信装置からデータ受信局へ、クレジット・カード情報を送信する工程、
を含む遠隔地から商品を注文する前記方法。
【請求項２７】
請求項２５に記載の遠隔地から商品を注文する方法であって、更に、
データ受信局から受信したクレジット・カード情報を、ワイヤレス電気通信リンクを介してクレジット・カード認証センターへ認定のために送信する工程、
を含む遠隔地から商品を注文する前記方法。
【請求項２８】
請求項２７に記載の遠隔地から商品を注文する方法であって、更に、
ワイヤレス電気通信装置から顧客を識別する情報データを受信する工程、
を含む遠隔地から商品を注文する前記方法。
【請求項２９】
請求項２５に記載の遠隔地から商品を注文する方法であって、更に、
ワイヤレス電気通信装置から、ワイヤレス電気通信装置に接続された衛星測位装置を介して顧客の位置情報を受信する工程、
を含む遠隔地から商品を注文する前記方法。
【請求項３０】
請求項２５に記載の遠隔地から商品を注文する方法であって、更に、
ワイヤレス電気通信装置から、ワイヤレス電気通信装置に接続されたワイヤレス・アプリケーション・プロトコル装置を介して顧客の位置情報を受信する工程、
を含む遠隔地から商品を注文する前記方法。
【請求項３１】
請求項２５に記載の遠隔地から商品を注文する方法であって、更に、
ワイヤレス電気通信装置に注文データを入力するためにバー・コードを読み取る工程、
を含む遠隔地から商品を注文する前記方法。
【請求項３２】
請求項２５に記載の遠隔地から商品を注文する方法であって、更に、
注文品が受け取れる準備ができた時にワイヤレス電気通信装置に通知する工程、
を含む遠隔地から商品を注文する前記方法。
【請求項３３】
請求項２５に記載の遠隔地から商品を注文する方法であって、更に、
データ受信局からのデータを第２のデータ受信局に転送する工程、
を含む遠隔地から商品を注文する前記方法。
【請求項３４】
請求項２５に記載の遠隔地から商品を注文する方法であって、更に、
望みの場所で受け取るように商品またはサービスを提供する工程、
を含む遠隔地から商品を注文する前記方法。
【請求項３５】
請求項２５に記載の遠隔地から商品を注文する方法であって、更に、
望みの場所に配達するように商品またはサービスを提供する工程、
を含む遠隔地から商品を注文する前記方法。
【請求項３６】
請求項２５に記載の遠隔地から商品を注文する方法であって、更に、
取引に関して顧客の口座から引き落としを行う工程、
を含む遠隔地から商品を注文する前記方法。
【請求項３７】
請求項２５に記載の遠隔地から商品を注文する方法であって、更に、
取引に関して顧客のクレジット・カードから引き落としを行う工程、
を含む遠隔地から商品を注文する前記方法。
【請求項３８】
請求項２５に記載の遠隔地から商品を注文する方法であって、更に、
行われた販売に基づいて、在庫を更新する工程、
を含む遠隔地から商品を注文する前記方法。
【請求項３９】
請求項２５に記載の遠隔地から商品を注文する方法であって、更に、
配達場所において、顧客のために領収書を印刷する工程、
を含む遠隔地から商品を注文する前記方法。
【請求項４０】
請求項２５に記載の遠隔地から商品を注文する方法であって、更に、
顧客が署名するように、クレジット・カード伝票を印刷する工程、
を含む遠隔地から商品を注文する前記方法。
【請求項４１】
請求項２５に記載の遠隔地から商品を注文する方法であって、更に、
電気通信リンクを介して遠隔地から顧客を識別する工程、
を含む遠隔地から商品を注文する前記方法。
【請求項４２】
請求項２５に記載の遠隔地から商品を注文する方法であって、更に、
商品またはサービスを転送する場所で顧客を識別する工程、
を含む遠隔地から商品を注文する前記方法。
【請求項４３】
請求項２５に記載の遠隔地から商品を注文する方法であって、更に、
現金自動預け払いマシンのカードを持つ代わりに、ワイヤレス電気通信装置を使用することによって現金自動預け払いマシンを起動する工程、
を含む遠隔地から商品を注文する前記方法。
【請求項４４】
請求項４３に記載の遠隔地から商品を注文する方法であって、更に、
ワイヤレス電気通信装置を使用することによって、所望する取引に関するデータを現金自動預け払いマシンに入力する工程、
を含む遠隔地から商品を注文する前記方法。
【請求項４５】
請求項２５に記載の遠隔地から商品を注文する方法であって、更に、
ワイヤレス電気通信装置を使用することによって、家電品のような装置を制御する工程、
を含む遠隔地から商品を注文する前記方法。
【発明の詳細な説明】
【技術分野】
【０００１】
（発明の背景）
本出願は、２００２年８月２０日付けの米国特許第６，４３５，４０６号として登録された２０００年１０月６日付けの出願番号第０９／６８４，１８５号の一部継続出願であり、それは米国特許第６，４２５，５２４号として登録された１９９９年８月２７日付けの出願番号第０９／３８４，９６１号の一部継続出願であり、それはまた米国特許第５，９６９，９６８号として登録された１９９８年４月１７日付けの出願番号第０９／０６２，０９３号の一部継続出願である。
本発明は、一般に、遠隔注文（ｒｅｍｏｔｅ  ｏｒｄｅｒｉｎｇ）システムに関する。
【背景技術】
【０００２】
ドライブ・スルー・レーンは多くのレストランで顧客及び経営者の双方にとって非常に有益なものである。ドライブ・スルーによって、経営者は営業時間を延長しても、その間にレストランを翌日に備えて清掃することができる。ドライブ・スルーは、また、スタッフ人数を減らしても接客を効率的に処理することを可能とする。
【０００３】
顧客は、彼または彼女の車に乗ったままでサービスを受けることができるというメリットがある。このことは、若い家族や、身体の自由に問題を抱える老齢者や身体障害者にとって特に重要である。
【発明の開示】
【発明が解決しようとする課題】
【０００４】
ドライブ・スルー・レーンは既に広く採用されるようになって久しい。しかし、典型的なドライブ・スルー・レーンでは、顧客はマイクに向かって話すことによって係員に注文を出す。ここに使用されているマイクの品質が一般に粗悪なため、誤解が生じたり、注文を間違えたりする。顧客が注文違いに気づくまでには数分間もレーンに並んでしまい、正しい注文が処理されるまでに更に数分間待たなければならなくなる。このようなことがあれば、顧客は店に対する印象を悪くする。
【０００５】
マイクを使用しない方式のこれまでのドライブ・スルー注文システムでの問題点は、顧客に対して、車から身を乗り出してメニューのボタンを押してもらったり、タッチ・スクリーンを使ったりして注文を出してもらうことである。これは、或る人々、例えば、肥満した人々にとっては不可能ではないにしても厄介な作業である。更に、この操作は、注文をする間に顧客を雨や雪などにさらすことにもなる。一般に、注文品の種類、数量、あるいは合計金額に関してフィードバックがないし、間違えて注文した商品を正すための補完機能がない。
【０００６】
上述の問題を解決する、ドライブ・スルー・レーン用の遠隔注文システムが必要とされる。更に、そのシステムは、完全に携行可能で手のひらに持てる遠隔装置であって、頻繁に来店する顧客に対してレストランが支給できるものを提供すべきである。最適な場合、この装置は、注文と一緒に送信される顧客識別を有し、そうすればレストランは統計処理を実行することができる。
【０００７】
本出願は、また、レストランの接客スタッフが注文を出し、注文の状況を把握し、また顧客に現金で支払うかクレジット・カードで支払うかを選ばせることができる遠隔注文装置の利用法にも関する。
【０００８】
レストランの給仕人が、給仕人が個人的に注文を取ることをしなくても、各々の顧客の料理及び飲み物の注文を入力して、次にその情報を直接調理場に電気的に送信するために用いるハンドヘルド式の遠隔装置が必要とされる。各給仕人はより多くのテーブルを効率的に受け持つことができるようになり、収入が増え、それに従ってレストランはスタッフの給与を節約できるようになろう。本装置は、また、クレジット・カード・リーダー及び署名“ボックス”を備えることもでき、そうすれば顧客はレジに並んだり、ウェイトレスがクレジットの伝票に署名を求めて戻ってくるのを待ったりする必要がなく、テーブルに着いたままでその取引を完成させることができる。
【０００９】
更に、レストラン、自動車修理工場、小売店、雑貨店、空港、及びその他のサービス施設などの施設の内部あるいは外部で顧客が使用するための一般化された遠隔注文装置が必要である。この遠隔注文装置は、ハンドヘルド装置であり、それを用いて顧客が注文したり、商品あるいはサービスの代価を支払ったり、あるいは情報にアクセスしたりすることができる。
【課題を解決するための手段】
【００１０】
（発明の概要）
レストラン、自動車修理工場、小売店、雑貨店、空港、劇場、現金自動預け払い機（ＡＴＭ）、あるいはその他のサービス施設の内部で、顧客及び従業員が注文を出し、注文の状況を把握し、情報にアクセスし、また商品やサービス提供を受けたときに現金で支払うか、借りとしてつけにするか、あるいはクレジット・カードを使用するかを顧客に選択させるために使用する一般化された遠隔注文装置であって、
（ａ）例えば、セルラー電話や、注文データを送信するためのセルラー電話付きのパーソナル・コンピュータ（ＰＣ）あるいはパーソナル・データ・アシスタント（ＰＤＡ）のようなデータ入力及び送信装置と、
（ｂ）送信装置から直接にあるいはセルラー電話システムを介してデータを受信するための注文局であって、前記データ入力及び送信装置からデータを受信し、処理すべき注文を注文処理地点に送信し、商品またはサービスの価格に必要な税金を加算した合計料金を課金し、現金支払い、クレジット・カードあるいは顧客の口座からの引き落としのいずれかの支払い方法を提供し、更にオプションとして、商品またはサービスが届けられた後で顧客に受領書を提供するように適合しており、顧客が商品を受け取るか、あるいはそれらを顧客宛に配達してもらうようになった注文局と、
を含む遠隔注文装置。
【００１１】
本発明の重要な目的及び特徴は、顧客が係員に対して話しかける必要なしに、メニューから商品を注文できるようにすることである。これにより、注文がより正確にできる。
【００１２】
本発明の別の１つの目的及び特徴は、給仕人が個人的に注文を伝えるために出向く必要なしに、直ちに注文を調理場に送信することができるため、給仕人は時間をより生産的に使って、常連客にサービスしたり、より多くのテーブルを担当したりでき、それによって労働経費を節約することができることである。
【００１３】
本発明の別の１つの目的及び特徴は、注文がより迅速に届けられ、給仕人は調理場で注文品が準備できると直ちにそのことを知らされるということである。給仕人が料理を運ぶまでに時間が掛かって料理が冷えてしまうということがなくなる。
【００１４】
本発明の別の１つの目的及び特徴は、個々の注文が自動的にコンピュータ・システムに入力されて、必要に応じて在庫管理、内部統制、及びマーケティングに利用できるということである。もし常連客が現金支払いを希望し、クレジット・カードの使用を望まなければ、その注文はチェック・アウト・レジスタにおいて電子的に識別される。会社が統一的にすべての常連客がチェック・アウト・レジスタまで来ることを望む場合には、レジでの時間を短縮するように、クレジット・カードの伝票及び勘定書はそれまでに完成させておくことができる。
【００１５】
本発明の別の１つの目的及び特徴は、急いでいるレストラン顧客は料理を注文するときにクレジット・カード支払いを済ませておくことができ、そうすることによって、給仕人が勘定書を持ってくるのを待つ必要がなくなるということである。そういった顧客は食事が済んだら、直ちに店を出ることができる。
【００１６】
別の１つの目的及び特徴は、紛失や盗難の心配があるクレジット・カード、あるいはカード番号を盗むために使用され得るクレジット・カード押印を使用せずに、商取引の安全性を高めることである。クレジット・カードのデータや識別情報を電子的に転送することによって、窃盗による損失が防止される。
【００１７】
本発明の別の１つの目的及び特徴は、手書きの伝票が使われないので、調理場のスタッフがいつでも注文を読むことができるということである。
【００１８】
本発明の別の１つの目的及び特徴は、給仕人の注文及びチップを、テーブルにおいて支払われる場合でも常に自動的に記録できるということである。
【００１９】
本発明の別の１つの目的及び特徴は、各給仕人が自分用の注文装置を持って、調理場での簡便な識別としたり、あるいは上着に入れた個人用ノートとしたりすることができるということである。
【００２０】
上述の目的及び特徴は、レストラン、自動車修理工場、小売店、雑貨店、空港、及びその他のサービス施設で顧客が使用する場合にも等しく応用できる。
【００２１】
一般化された遠隔注文装置は、また、会社施設において顧客が予め決められた注文を選び、それを遠隔地から入力することを可能とする。例えば、サービス施設は、特定の予め決められた注文に関連付けられたワールド・ワイド・ウエブ（ＷＷＷ）上へ注文コードを掲示する。顧客は、ウエブ・ページにアクセスしたあとで入力装置に注文コードを入力し、また他方でサービス施設においては、注文局に注文コードを送信する。サービス施設は、顧客が注文コードを入力する前に、クレジット・カード番号を入力するように要求することもできる。
【００２２】
注文メニューは、電気通信リンクが確立された時点で、セルラー電話、ＰＤＡ、あるいはＰＣに送信することができる。あるいは注文メニューをセルラー電話、ＰＤＡ、あるいはＰＣのメモリに入れておくこともできる。メニューは、また、注文を行う施設にカタログとして配置するか、例えば、会社施設内部の壁や会社のドライブ・スルー・レーンのサインのように、目に付くところに張り出すこともできる。セルラー電話の場合は、音声メニューを使って選択してもらうこともできる。
【００２３】
任意の種類の商品またはサービスをセルラー電話やその他の電気通信リンクを介して注文することができ、注文を受けた会社は、使用されたセルラー電話から、あるいはセルラー電話と個人識別番号（ＰＩＮ）セルラー電話ＰＤＡやＰＣに付属する生体識別装置や、商品またはサービスが配達される地点におけるそのような装置との組み合わせから、注文を発した人が誰であるか追跡することができる。会社は、在庫を自動的に監視することができ、また商取引に付随する経理情報、例えば、クレジット・カード口座、顧客がその商取引で設定した借方勘定、領収書の準備、あるいは商取引を完成させるために現金を徴収すべきという命令などを監視することができる。
【００２４】
顧客は、コンタクトしようと希望する会社の番号をいちいち記憶する必要はない。１つの番号が与えられ、それはコンタクトすべき会社のメニューを含んでおり、注文はダイヤルした番号で発行され、次に所望の会社に転送されるか、あるいはインターネットあるいは呼び出しを転送することによってその会社との間でリンクが確立される。
【００２５】
双方向の通信装置によって、選択を行うためのメニューを提供することもできる。カタログやレストランのメニューからの商品選択、劇場、航空機のチケットや座席の選択、ホテルの予約、現金自動預け払い機での取引、あるいは銀行口座から行うべき電子式支払いの命令などの場面で選択が行われる。
【００２６】
商品やサービスを注文するメニューには、商品を受け取る場所の選択や配達場所の指定も含まれる。
【００２７】
顧客の識別は、顧客にあてがわれた送信機装置を識別することによって、例えば、このセルラー電話のセルラー電話番号や、商品またはサービスを受け取ったり配達したりするときに個人的に収集されたり、ワイヤレス通信機を介して収集された生体情報を識別することによって行うことができる。顧客を識別するその他の方法には、個人識別番号（ＰＩＮ）や、識別情報を有するチップの所有が含まれる。受け取り地点で顧客を識別するその他の手段には、署名、写真、及び顧客カードやタグに埋め込んだチップを顧客が所有することが含まれる。
【００２８】
ビデオ・ディスプレイのようなデータ出力装置あるいは印刷出力が、会社施設の担当者に対して注文を処理するように命令する。出力装置は、ラベル、保証書、領収書、クレジット・カード伝票、チケット、あるいはその他の顧客あるいは会社施設に関する情報を印刷するためにも使用される。
【００２９】
セルラー電話あるいはその他の送信機のような任意の種類のワイヤレス通信を利用することができる。セルラー電話及び送信機は、パーソナル・コンピュータ、パーソナル・データ・アシスタント（ＰＤＡ）、タブレット式パーソナル・コンピュータ、あるいはその他のデータ蓄積及び処理装置へつながれる。使用されるワイヤレス技術は、ワイド・フィデリティ（Ｗｉ−Ｆｉ）（Ｒ）、ワイヤレス・パーソナル・ネットワーク、あるいはその他のシステムでよい。接続は、Ｂｌｕｅｔｏｏｔｈ（Ｒ）プロトコルあるいは任意のその他のプロトコルを使用することができる。
【００３０】
顧客から直接でなく、１つのコンピュータから別のものへ自動的に注文することも可能である。例えば、冷蔵庫にミルクを補充する配達サービスを頼むとか、暖房装置に石油やプロパンを補充してもらうなど、家電品に対する補充を依頼することもできる。
【００３１】
注文システムは、家電品の制御や、家庭や会社における制御、例えば、照明点灯や安全システムの作動、暖房や冷房システムの調節などを行うためにも使用することができる。
【００３２】
ＧＰＳやセルラー電話測位システムのような位置同定装置と一緒に機能する注文システムは、ユーザに対して商品やサービスの最寄のプロバイダ所在地をアドバイスすることができる。
【００３３】
顧客による注文装置へのデータ入力は、ボタンを押すこと、バー・コードをスキャンすること、音声命令、その他任意のデータ入力手段によって行われる。
【００３４】
有料道路の料金所、駐車場料金に関して、車を停止させることなしに移動支払いが可能であり、それに従って料金所や駐車場ランプでの車の流れがスムーズになる。タクシー料金、バス運賃、その他の取引も移動中に完了できる。
【実施例】
【００３５】
（好適な実施の形態の詳細な説明）
本発明の、レストランのドライブ・スルー・レーン用の遠隔注文システムが図面に一般的に参照符号１０で示されている。
【００３６】
遠隔注文システム１０は、入力装置１２と、乗り付け注文局１４とを含む。入力装置１２は、乗り付け注文局１４とは接続されておらず、入力装置は車Ｖの内部から使用される。好ましくは、入力装置１２は手のひらに載せられるものであり、乗り付け注文局１４から離れた場所に携行可能なものである。複数の装置１２が使用され、顧客ごとに別々の装置があてがわれる。この実施の形態では、入力装置１２は、乗り付け注文局１４から直接見える場所で使用されることが好ましい。すなわち、この装置は、例えば電話網を介するなど非常に離れた場所で使われることを想定していない。
【００３７】
好ましくは、入力装置１２は、キーパッド１６、バッテリ１８、第１のメモリ２０、第１のプロセッサ２２、及び送信機２４を有する。第１のメモリ２０及び第１のプロセッサ２２は、個別部品でもよいが、図３に示すように特定用途向け集積回路（ＡＳＩＣ）に両方を集積してもよい。顧客識別番号は、第１のメモリ２０に記憶されていて、注文と一緒に乗り付け注文局に送信される。
【００３８】
キーパッド１６は、更に、複数の数字キー１６ａ、入力キー１６ｂ、削除キー１６ｃ、数量追加キー１６ｄ、数量削減キー１６ｅ、及び開始／終了キー１６ｆを、図２に示すように含むことが望ましい。
【００３９】
乗り付け注文局１４は、各種の料理品の説明と注文番号を含む可視のメニュー３０を掲示する。受信機３２は、送信機２４に同調している。局１４は、更に、第２のプロセッサ３４を有し、それは送信機２４から受信機３２を通して受信される情報を復号し、復号された情報を生成するように適合している。復号された情報、例えば、商品説明や価格はディスプレイ３６に表示される。第２のメモリ３８は、商品番号、説明、及び価格を記憶するが、これらは通信リンク４２を介して売り場システム４０から受信してもよい。第２のメモリ３８及び第２のプロセッサ３４は、個別部品でもよいが、図４に示すように、特定用途向け集積回路（ＡＳＩＣ）に両方とも集積することもできる。
【００４０】
送信機２４及び受信機３２は、高周波（ＲＦ）送信あるいは赤外（ＩＲ）送信のいずれかで動作する。
【００４１】
遠隔注文システム１０は、更に、第１のプロセッサ２２中で動作し、遠隔入力装置１２を管理する遠隔ソフトウエアと、第２のプロセッサ中で動作し、注文局１４を管理する注文局ソフトウエアとを含む。遠隔ソフトウエア及び注文局ソフトウエアのフローチャートは、図５に示されている。
【００４２】
最初に、注文局ソフトウエアは、ディスプレイ３６上に“いらっしゃいませ”画面を表示する。いらっしゃいませ画面は、顧客に遠隔装置１２の開始キー１６ｆを押して取引を開始するように案内する。
【００４３】
これに従って顧客が遠隔装置１２の開始キー１６ｆを押すと、送信機２４から受信機３２に信号が送られる。この開始信号は、第２のプロセッサ中で動作している注文局ソフトウエアによって復号化される。
【００４４】
次の工程では、注文局ソフトウエアは、“商品番号を入力してください”画面を（図６Ａ）ディスプレイ３６上に表示させる。顧客が選ぶことのできる商品番号は、商品番号に付随する商品（ハンバーガー、チーズバーガーなど）の説明と一緒に、掲示されたメニュー３０上に示されよう。
【００４５】
“商品番号を入力してください”画面に応答して顧客が数字キー１６ａの１つあるいは複数を押して商品番号を入力する（図６Ｂ）。顧客は、次に、例えば、“入力”キー１６ｂを押すことによって、注文局１４への商品番号の送信を開始させる。
【００４６】
商品番号は、受信機３２によって受信され、第２のプロセッサ３４中で動作している注文局ソフトウエアによって復号される。注文局ソフトウエアは、次に、第２のメモリ３８に保持されているテーブルを参照することによって、商品番号と商品説明とを関連付ける。
【００４７】
次に、注文局ソフトウエアは、ディスプレイ３６上に“商品識別子及び数量”画面を送信する。この画面は、顧客に対してこの所望の商品の数量を入力するように案内する。
【００４８】
顧客は、数字キー１６ａと、オプションとして数量追加キー１６ｄ及び／または数量削減キー１６ｅとを用いてこの所望の商品の数量を入力する。次に、顧客は、例えば、“入力”キー１６ｂを押すことによって、商品数量の送信を開始させる。
【００４９】
受信機３２は、第１の商品に関する商品数量を受信し、それを復号のために第２のプロセッサ３４に渡す。これに従って、第２のプロセッサは、第１の商品の数量を第２のメモリ３８に入力する。第２のプロセッサは、第２のメモリ３８に保持されているテーブルからこの商品の価格を調べて、第１の商品に関する商品合計を計算する。次に、注文局ソフトウエアは、第１の商品に関する商品合計画面（図８）をディスプレイ３６に送る。
【００５０】
顧客が“入力”キーをもう一度押すと、“入力”キーを押したという信号が注文局１４に送られる。注文局ソフトウエアは、次に、ディスプレイ３６に“入力／削除／終了”画面（図９）を送信する。
【００５１】
顧客は、“入力／削除／終了”画面（図９）に応答する場合、３つの選択肢を有する。
【００５２】
“入力”キーが押されると、遠隔装置１２は、“商品番号を入力してください”画面（図６）を表示して別の商品を注文するための上で説明したプロセスを開始するように注文局１４に指示する。
【００５３】
“削除”キー１６ｃが押されると、遠隔装置１２は、注文局に指示して、“商品削除”画面（図１１Ａ）を表示させる。この画面は、注文した商品を商品番号、説明、及び数量でリストアップし、また注文合計を表示する。オプションとして、注文の小計を表示させることもできる（図１１Ｂ）。数字キー１６ａを使用して、顧客は、どの商品番号を削除するかを指定して、次に“入力”キーを押せば注文局ソフトウエアに対してその商品を注文から削除するように信号が送られる。次に、注文局ソフトウエアは、“入力／削除／終了”画面を再表示する。
【００５４】
“終了”キー１６ｆが押されると、遠隔装置１２は、注文局に指示して、注文されたすべての商品及び数量に関する注文合計を計算させる。次に、注文局ソフトウエアは、ディスプレイ３６上に注文合計画面（図１０）を表示させる。
【００５５】
注文局ソフトウエアは、次に、通信リンク４２を介して売り場システムに注文情報を送信する。
【００５６】
売り場システムは、通信リンク４２を介して、注文局に商品番号、説明、及び価格をロードすることができる。
【００５７】
一般化された遠隔注文装置は、キーパッド１１６を含む入力装置１１２、バッテリ１８、第１のメモリ２０、第１のプロセッサ２２、及び送信機２４を含む（図３及び図１２Ａ参照）。第１のメモリ２０及び第１のプロセッサ２２は、個別部品でもよいが、図３に示すように、特定用途向け集積回路（ＡＳＩＣ）中に両方とも集積してもよい。ユーザ／給仕人インジケータは、第１のメモリ２０に記憶されて、ユーザ／給仕人を識別するために注文局１４０に送信されよう。
【００５８】
遠隔注文装置は、更に、入力装置１１２に接続されていない注文局１４０を含み、注文局１４０は、送信機２４に同調した受信機３２を含んでいる。遠隔注文局１４０は、また、送信機２４から受信機３２を通して受信した情報を復号し、復号された情報を生成するように適合した第２のプロセッサ３４を有している。遠隔注文局１４０は、また、復号された情報を表示するように適合したディスプレイ３６を有する。第２のメモリ３８は、商品番号、説明、及び価格を記憶し、それらは、通信リンク４２を通して売り場システム４０から受信されよう。第２のメモリ３８及び第２のプロセッサ３４は、個別部品でもよいが、図４に示すように、特定用途向け集積回路（ＡＳＩＣ）に両方とも集積してもよい。
【００５９】
入力装置１１２は、情報を表示するためのディスプレイ・ウインドウ１１４を有することができる。好ましくは、ディスプレイ・ウインドウ１１４は、液晶ディスプレイである。
【００６０】
入力装置１１２は、注文品準備完了インジケータ１１８を有することができ、それは注文品が受け取れる準備できたときに、注文局１４０からの信号によってターン・オンされる。好ましくは、注文品準備完了インジケータは、ＬＥＤのような光学式インジケータであるが、チャイムやバイブレータでも構わない。
【００６１】
キーパッド１１６は、メニュー項目の選択や顧客データを入力するために複数の数字キー１１６Ａを含むことが好ましい。最も望ましいことは、図１２Ａに示すように、数字キー１１６Ａが、更に０から９まで表記されたキーを含むことである。例えば、標準的な電話機のキーパッドを数字キー１１６Ａとして使用することができる。
【００６２】
キーパッド１１６は、更に、注文送信ボタン１２０を含み、それは注文局１４０に注文を送信するために押すものである。
【００６３】
キーパッド１１６は、更に、取消／変更ボタン１２２を含み、それは、注文番号と取消／変更ボタン１２２とを押すことによって、直前に発行された注文を取り消しあるいは変更するために使用される。
【００６４】
入力装置１１２は、クレジット・カード上の磁気ストリップを読み出すために、クレジット・カードを通すためのクレジット・カード用スロットを有することが望ましい。入力装置１１２は、また、クレジット・カード所有者の署名を電子的に記録するように適合したクレジット・カード署名ブロック１２６を有する。
【００６５】
送信機２４及び受信機３２は、高周波（ＲＥ）送信あるいは赤外（ＩＲ）送信のいずれかのモードで動作する。好ましくは、ＲＥ送信が用いられる。
【００６６】
遠隔注文装置は、複数の入力装置１１２を含むことが好ましく、前記複数の入力装置１１２の各々は、注文局１４０から離れた場所に携行することができる。
【００６７】
サービス施設の顧客は、一般化された遠隔注文装置を用いた方法によって、サービス施設から注文を出したり、その他の情報を入手したりすることができる。
【００６８】
サービス施設は、注文コードを予め決められた注文と関連付けたあとで、入力装置を使用している顧客に注文コードを伝える。例えば、注文コード１は、ハンバーガー、フライ、及びコーク（Ｒ）に関連付けられよう。これに従って、入力装置のユーザは、キーパッド１１６を使用して注文コードを入力装置１１２に入力し、更に、注文送信ボタン１２０を押す。これによって、注文番号が注文局に送信される。ユーザは、送信機２４のカバーレンジに依存して、サービス施設の内部または外部で入力装置１１２を操作することができる。
【００６９】
注文コードを大衆に提供するために、サービス施設の所有者は、ワールド・ワイド・ウエブ（ＷＷＷ）ページに注文コードのメニューを掲示する。例えば、小売店が特別な宣伝をしようとするとき、その店は、ウエブ・サイトで特売する商品の注文コードを掲示する。購入者は、それらの注文コードのリストを印刷して、その店舗に行き、入力装置１１２に注文コードを入力して、それらを注文局１４０に送信する。
【００７０】
あるいは、サービス施設は、顧客向けのカタログを提供することもできる。各顧客には購入のための入力装置が与えられ、カタログには注文コードが記載されている。入力装置１１２は、複数の注文コードを受け入れて、注文送信ボタンを１回押すことで、それらを逐次的に注文局１４０に送信するようにプログラムすることができる。注文品が準備できたときは、注文品準備完了インジケータがターン・オンされて、顧客はその注文品を受け取る。
【００７１】
別の構成では、サービス施設は、要求者の身元を確認したあとで、ウエブ・サイト上あるいはその他の方法で注文コードを開示するようにし、更に、注文コードを受信する前に、クレジット・カード番号でその注文に対する支払いを行うように注文主に要求することもある。別の構成では、注文主は、彼のクレジット・カードをクレジット・カード・スロット１２８に通して入力したあとでその注文に対する支払いをする。これによって、クレジット・カード番号及び有効期限が注文局１４０を通して売り場システムに送信される。
【００７２】
入力装置１１２は、セルラー電話に組み込むことができ、そうすれば注文は電話網を介してサービス施設に送信される。
【００７３】
一般化された遠隔注文装置の別の実施の形態が図１４−１６に参照符号２１０で示されている。
【００７４】
一般化された遠隔注文装置２１０は、入力装置２１２と、入力装置２１２に接続されていない注文局１４０とを含む。
【００７５】
入力装置２１２は、更に、キーパッド２１、バッテリ（図示されていない）、第１のメモリ２０、第１のプロセッサ２２、及び送信機２２４を含む。第１のメモリ２０及び第１のプロセッサ２２は、個別部品でもよいが、図３に示すように、特定用途向け集積回路（ＡＳＩＣ）にそれらを集積することもできる。
【００７６】
入力装置２１２は、また、バー・コード・ラベルＬを読み取るように適合したバー・コード・リーダー２２６を含む。
【００７７】
注文局２４０は、送信機２２４から情報を受信するように適合した受信機３２を有する。注文局２４０は、また、送信機２２４から受信機３２を経て受信された情報を復号し、復号された情報を生成するように適合した第２のプロセッサ３４を有する。第２のメモリ３８は、商品番号、説明、及び価格を記憶するが、それらは売り場システム４０から通信リンク４２を介して受信されよう。第２のメモリ３８及び第２のプロセッサ３４は、個別部品でもよいが、図４に示すように、特定用途向け集積回路（ＡＳＩＣ）にそれら両方とも集積することもできる。
【００７８】
１つの実施の形態では、入力装置２１２は、セルラー電話２５０を含み、受信機３２は、電話応答装置２４２を含む。
【００７９】
セルラー電話がアナログ式の場合には、送信機２２４はモデムを含む。
【００８０】
別の実施の形態では、送信機２２４及び受信機３２は赤外スペクトルあるいは高周波スペクトルにおいて動作する。
【００８１】
装置２１０は、また、１または複数のＧＰＳ衛星Ｓと交信する全地球測位システム（ＧＰＳ）トランシーバ２６０を有する。
【００８２】
装置２１０は、また、入力装置２１２のユーザを識別するように適合した個人識別装置２７０を有する。個人識別装置は、ユーザに個人識別番号（ＰＩＮ）を入力するように要求する代わりに、何らかの物理的特徴によって直接ユーザを識別するように適合していることが好ましい。これは安全性を向上させる。すなわち、ＰＩＮは盗まれるが、ユーザの物理的特徴はコピーできない。
【００８３】
個人識別装置２７０で利用される物理的特徴は、ユーザのどんな物理的特徴であってもよいが、好ましくは、生体電子的、生体化学的、及び生体機械的特徴を含むグループから選ばれる。
【００８４】
例えば、個人識別装置２７０は、ユーザの声、ユーザの親指の指紋、あるいはユーザの網膜パターンを識別するように適合していてもよい。
【００８５】
装置２１０の応用についてここで説明する。
【００８６】
入力装置２１２がバー・コード・リーダー２２６付のセルラー電話２５０であれば、ユーザは、彼の自宅や車から商品を注文して、あとで店あるいはレストランで受け取ることができる。店あるいはレストランは、バー・コード付の商品メニューを発行し、印刷物とするか、あるいはワールド・ワイド・ウエブ（ＷＷＷ）に掲示することができる。商品を注文するためには、ユーザは、注文局が位置する中央番号をダイヤルし、その呼び出しに対して電話応答装置２４２が回答する。一連の音声案内がユーザに対して、バー・コード・リーダー２２６を使ってバー・コードを読むように指示する。次に、注文局１４０は、売り場システムと交信してその販売を記録する。更に、顧客は、自宅であるいは店にいるときに、クレジット・カードをクレジット・カード・スロット１２８に通すように求められる。
【００８７】
別の応用では、ＧＰＳトランシーバ２６０がユーザの場所を３ｍ（１０フィート）以内の精度で表示し、入力装置２１２は、注文中にこの位置を注文局１４０に送信する。別のＧＰＳトランシーバを携帯する配達人は、彼のトランシーバにＧＰＳ座標を入力し、注文を出したユーザの所在場所に直接行くことができる。これは、スタジアムのような環境では非常に高い価値を持つ。
【００８８】
あるいは、ワイヤレス・アプリケーション・プロトコル（ＷＡＰ）を用いて呼び出し人の場所を確定することができ、それによってその呼び出しを最も近いプロバイダに転送したり、商品やサービスをユーザに届けたりすることができる。
【００８９】
別の応用では、ユーザは、任意の標準的な注文プロセスを用いて、店やレストランのワールド・ワイド・ウエブ（ＷＷＷ）サイトから注文を出すことができる。ユーザが店やレストランに到着したとき、ユーザは入力装置２１２を起動して、ユーザが来て商品を受け取る用意ができたことを注文局１４０に伝える。
【００９０】
更に別の応用では、ユーザは、中央番号に電話して、遠隔注文システムが注文できるすべての商品及びサービスのメニューを提供する中央コンピュータに接続する。中央コンピュータは、特別な注文受信コンピュータにユーザを案内するか、あるいは中央コンピュータで受け取った注文を転送する。このように、ユーザは、商品やサービスが何であっても、システムに入るための１つの電話番号さえ覚えておればよい。
【００９１】
別の実施の形態では、ユーザは、商取引のための受信局電話番号を呼び出すことによって中央コンピュータに接続すると、それは、注文を処理し、顧客の口座あるいはクレジット・カードから引き落としを行い、また製品を渡したりサービスを提供したりする場所にあって地方支店に商品やサービスの提供を指令する第２のコンピュータに対して注文データを送信する。あるいは、中央コンピュータは、スクリーン上や印刷物で見られるようにデータを送信し、地方支店に商品やサービスの提供を指令する。プリンタは、ラベル、領収書、あるいはクレジット・カード伝票を中央コンピュータの命令によって直接印刷したり、あるいはオン・サイトのコンピュータで印刷したりすることができる。在庫管理データは、中央コンピュータ、ローカル・コンピュータ、あるいは双方に保存される。
【００９２】
一般的な場合には、ユーザは、送信機、セルラー電話、好ましくは、データ表示スクリーンを備えたセルラー電話、送信機付のＰＤＡ、セルラー電話付のＰＤＡ、送信機付のＰＣ、あるいはセルラー電話付のＰＣ、送信機付のタブレットＰＣ、あるいはセルラー電話付のタブレットＰＣを使って受信局にアクセスできる。データの送信は、ワイド・フィデリティ（Ｗｉ−Ｆｉ）（Ｒ）、ワイヤレス・パーソナル・ネットワーク、あるいは任意のその他のシステムを介して行うことができ、またＢｌｕｅＴｏｏｔｈ（Ｒ）あるいは任意のその他のプロトコルを用いることができる。
【００９３】
受信局は、音声または書かれたものでメニューを送信し、受け取るようになったあるいは配達されるようになった商品またはサービスについての注文を受信する。
【００９４】
受信局は、一般的なサービス受信局でよく、特別な取引に関連する他の受信局に対して電話や注文を転送することができ、転送された受信局は、次に、顧客が商品やサービスを受けたいと希望する場所において商品やサービスが提供されるようにそれ自身の地方支店にメッセージを送信するか、受信局にコンタクトすることができる。商品やサービスは、最も近い地方支店から配達することもできる。
【００９５】
受信局は、注文を取り、アカウント及び在庫データを処理し、それらの注文を処理するためにローカル受信局にデータを送信するために、中央の通話料無料の電話番号でコンタクトされることもある。あるいは、受信局は、全国的に通話料無料の番号を有する会社の中央受信局でもよく、それらの注文を処理する会社の地方支店は、その注文を処理するためのデータを受信するための通信リンクを持つことができる。
【００９６】
商品やサービスを注文するためのメニューの一部として、ユーザは、受け取り場所を選択したり、あるいは配達地点を指定したりすることができる。
【００９７】
受信局の用途は多い。それは単なる商品やサービスの提供だけでなく、他の機械を制御することができる。例えば、受信局は、住宅とつないで、熱、扉の施錠及び開錠、照明の点灯及び消灯、などを制御することができる。その他の応用では、受信局は、ＡＴＭマシンとつないで、現金の受け取りや預け入れを行い、また銀行のコンピュータとつないで、ユーザの口座相互間で資金のやり取りや請求金の支払いを行うことができる。
【００９８】
ワイヤレス電気通信装置は、ユーザ識別データを受信局に送信するための生体電子的ユーザ識別装置を有する。あるいは、受信局は、受け取り場所や配達地点において、生体電子的識別装置から識別データを受信することができる。カードやタグに埋め込まれたチップ、更に顧客の体内のチップのように、顧客がチップを所有していることを識別のために利用することができる。
【００９９】
ほとんどの一般的なケースでは、ワイヤレス注文電気通信装置は、人々、家電品、あるいはコンピュータを注文局とつなぐことができ、また、注文局は、家電品、マシン、あるいはコンピュータとつながれる。
【０１００】
本発明は、その精神あるいは本質的な属性から離れることなしに、これ以外の特定の形態で実施することができる。従って、本実施の形態は、あらゆる観点から、ここに示したように理解されるべきであり、本発明のスコープを示すためのこれまでの説明よりもむしろ特許請求の範囲を参照しながら、非限定的に理解されるべきである。
【図面の簡単な説明】
【０１０１】
【図１】レストランのドライブ・スルー・レーンに関連して示す本発明の模式図。
【図２】本発明の遠隔ハンドヘルド装置の模式図。
【図３】遠隔ハンドヘルド装置の部品の電気的ブロック図。
【図４】ドライブ・スルー・ステーションの部品の電気的ブロック図。
【図５】本発明のデータ処理方法のフローチャート。
【図６Ａ】“商品番号を入力してください”画面の模式図。
【図６Ｂ】商品番号が入力されたあとの“商品番号を入力してください”画面を示す。
【図７】顧客が商品数を入力した“商品識別子及び数量”画面の模式図。
【図８】“商品合計”画面の模式図。
【図９】“入力／削除／終了”画面の模式図。
【図１０】“注文合計”画面の模式図。
【図１１Ａ】“商品削除”画面の１つの実施の形態の模式図。
【図１１Ｂ】“商品削除”画面の別の１つの実施の形態の模式図。
【図１２Ａ】一般化された遠隔注文装置用の入力装置の模式図。
【図１２Ｂ】Ａのライン１２Ｂに沿った模式的断面図。
【図１３】一般化された遠隔注文装置用の注文局の模式図。
【図１４】一般化された遠隔注文装置用の入力装置の別の実施の形態の模式図。
【図１５】図１４の入力装置と一緒に使用する注文局の模式図。
【図１６】端部模式的立面図。
【図１】
2005535983.tif 000003
【図１ａ】
2005535983.tif 000004
【図２】
2005535983.tif 000005
【図３】
2005535983.tif 000006
【図４】
2005535983.tif 000007
【図５】
2005535983.tif 000008
【図５ａ】
2005535983.tif 000009
【図５ｂ】
2005535983.tif 000010
【図６ａ】
2005535983.tif 000011
【図６ｂ】
2005535983.tif 000012
【図７】
2005535983.tif 000013
【図８】
2005535983.tif 000014
【図９】
2005535983.tif 000015
【図１０】
2005535983.tif 000016
【図１１ａ】
2005535983.tif 000017
【図１１ｂ】
2005535983.tif 000018
【図１２Ａ】
2005535983.tif 000019
【図１２Ｂ】
2005535983.tif 000020
【図１３】
2005535983.tif 000021
【図１４】
2005535983.tif 000022
【図１５】
2005535983.tif 000023
【図１６】
2005535983.tif 000024
【国際調査報告】
2005535983.tif 000025
2005535983.tif 000026